(57)【要約】【課題】無線ＬＡＮ基地局が計時するビーコン送信周期と無線ＬＡＮ端末が計時するビーコン受信周期との間に誤差があってもビーコンを適切に受信することができ、かつ、無駄な消費電力を消費しない無線ＬＡＮ端末、無線ＬＡＮシステム、並びに、無線ＬＡＮ端末の状態遷移方法及び制御プログラムを提供する。【解決手段】無線ＬＡＮ基地局との間でデータの送受信を行う通信部と、無線ＬＡＮ基地局より周期的に送信されるビーコンを受信すべきタイミングで通信部を省電力状態から通信可能状態に遷移させる制御部と、複数回ビーコンを受信しビーコンに記録されている時刻の間隔と、ビーコンを受信した時刻の間隔とのずれを記憶するビーコン受信周期差分記憶部と、ビーコン受信周期差分記憶部に記憶された時刻の間隔のずれに基づいて省電力状態から通信可能状態に遷移する起動周期を設定する起動周期設定部と、を備える。【選択図】図１
2010114671.tif 000002
【特許請求の範囲】
【請求項１】
無線ＬＡＮ基地局との間でデータの送受信を行う通信部と、
前記無線ＬＡＮ基地局より周期的に送信されるビーコンを受信すべきタイミングで前記通信部を省電力状態から通信可能状態に遷移させる制御部と、
複数回前記ビーコンを受信し、前記ビーコンに記録されている時刻の間隔と、ビーコンを受信した時刻の間隔とのずれを記憶するビーコン受信周期差分記憶部と、
前記ビーコン受信周期差分記憶部に記憶された時刻の間隔のずれに基づいて前記省電力状態から前記通信可能状態に遷移する起動周期を設定する起動周期設定部と、
を備えた無線ＬＡＮ端末。
【請求項２】
ビーコンの受信を期待する時間と実際にビーコンを受信した時間のずれを、複数回分記憶するビーコン受信時間差分記憶部と、
前記ビーコン受信時間差分記憶部に記憶された受信時間のずれの分布に基づいて、前記通信可能状態に遷移してから再び省電力状態に戻るまでの時間である起動時間を設定する起動時間設定部と、
を備えた請求項１記載の無線ＬＡＮ端末。
【請求項３】
前記起動時間設定部には、ビーコンの送信時間のずれに対してビーコンの受信に成功する期待確率があらかじめ与えられており、前記起動時間設定部は、前記受信時間のずれの分布を参照して、前記期待確率を満足するように起動時間を設定することを特徴とする請求項２記載の無線ＬＡＮ端末。
【請求項４】
前記ビーコン受信時間差分記憶部に記憶された受信時間のずれデータから、閾値外のデータを除いた後の中央値に基づいて、省電力状態から通信可能状態に遷移するタイミングを決定する請求項２又は３記載の無線ＬＡＮ端末。
【請求項５】
電源がオンしたとき、圏外から前記基地局との通信が可能な圏内に移動したことを検知したとき、又は、前記圏内において起動時間を設定してから一定時間が経過したときに、前記起動時間設定部が、前記起動時間を再設定することを特徴とする請求項２乃至４いずれか１項記載の無線ＬＡＮ端末。
【請求項６】
電源がオンしたとき、又は、起動時間を設定してから一定時間が経過したときに、前記起動時間設定部が、前記起動時間を再設定することを特徴とする請求項２乃至４いずれか１項記載の無線ＬＡＮ端末。
【請求項７】
前記無線ＬＡＮ基地局固有の識別情報と共に前記起動周期設定部が設定した起動周期を記録する基地局別起動周期記憶部をさらに備え、無線ＬＡＮ基地局との通信開始時に当該無線ＬＡＮ基地局が基地局別起動周期記憶部に記録した基地局であった場合には、前記基地局別起動周期記憶部が記憶する当該基地局に対する起動周期を当該無線ＬＡＮ端末の起動周期として設定する請求項１乃至６いずれか１項記載の無線ＬＡＮ端末。
【請求項８】
時刻情報を含むビーコンを周期的に送信する無線ＬＡＮ基地局と、
前記ビーコンを受信すべきタイミングで省電力状態から通信可能状態に遷移して前記ビーコンを受信する無線ＬＡＮ端末と、
を含む無線ＬＡＮシステムにおいて、
前記無線ＬＡＮ端末は、前記ビーコンに含まれる時刻情報とビーコンを受信した時刻とから前記無線ＬＡＮ基地局が計時したビーコン送信周期と前記無線ＬＡＮ端末が計時したビーコン受信周期との誤差を求め、前記誤差に基づいて、前記省電力状態から通信可能状態に遷移する周期を決定することを特徴とする無線ＬＡＮシステム。
【請求項９】
前記無線ＬＡＮ端末が、複数回前記ビーコンを受信し、前記ビーコンの受信を期待する時間から実際にビーコンを受信した時間の時間遅れの分布を求め、あらかじめ設定した確率で時間遅れを救済できるように前記通信可能状態に遷移してから前記省電力状態に戻るまでの時間である起動時間を設定し、前記起動時間中にビーコンを受信できなかった場合には、ビーコンの受信を待たずに、前記省電力状態に遷移することを特徴とする請求項８記載の無線ＬＡＮシステム。
【請求項１０】
前記無線ＬＡＮ端末が、電源をオンしたとき、前記無線ＬＡＮ基地局との通信不能な圏外から通信可能な圏内に移動したことを検知したとき、又は、前記圏内において前記起動時間を設定してから一定時間が経過したときに、前記起動時間を再設定することを特徴とする請求項９記載の無線ＬＡＮシステム。
【請求項１１】
無線ＬＡＮ基地局が周期的に送信するビーコンを受信すべきタイミングで省電力状態から通信可能状態に遷移して前記ビーコンを受信する無線ＬＡＮ端末の状態遷移方法であって、
前記ビーコンに含まれる時刻情報とビーコンを受信した時刻とから前記無線ＬＡＮ基地局が計時したビーコン送信周期と前記無線ＬＡＮ端末が計時したビーコン受信周期との誤差を求め、前記誤差に基づいて、前記無線ＬＡＮ端末が前記省電力状態から通信可能状態に遷移する起動周期を決定して前記ビーコンを受信する無線ＬＡＮ端末の状態遷移方法。
【請求項１２】
複数回前記ビーコンを受信し、前記ビーコンの受信を期待する時間から実際にビーコンを受信した時間の時間遅れの分布を求め、あらかじめ設定した確率で前記時間遅れを救済できるように前記通信可能状態に遷移してから前記省電力状態に戻るまでの時間である起動時間を設定し、前記起動時間中にビーコンを受信できなかった場合には、ビーコンの受信を待たずに前記通信可能状態から前記省電力状態に遷移することを特徴とする請求項１１記載の無線ＬＡＮ端末の状態遷移方法。
【請求項１３】
電源がオンしたとき、圏外から前記基地局との通信が可能な圏内に移動したことを検知したとき、又は、前記圏内において前記起動時間を設定してから一定時間が経過したときに、前記起動時間を再設定することを特徴とする請求項１２記載の無線ＬＡＮ端末の状態遷移方法。
【請求項１４】
電源がオンしたとき、又は、前記起動時間を設定してから一定時間が経過したときに、前記起動時間を再設定することを特徴とする請求項１２記載の無線ＬＡＮ端末の状態遷移方法。
【請求項１５】
周期的に送信されるビーコンの受信を含む送受信処理を行う通信部を備えた無線ＬＡＮ端末の制御プログラムであって、
第一のビーコンに記録された時刻データと、前記第一のビーコン受信時に計時した時刻データと、第二のビーコンに記録された時刻データと、前記第二のビーコン受信時に計時した時刻データと、前記第一のビーコンから第二のビーコンを受信するまでに受信したビーコンの数とから、前記ビーコンに記録された１周期当たりの時刻の進み方と、前記無線ＬＡＮ端末が計時した１周期当たりの時刻の進み方の周期差分を求める処理と、
前記周期差分に基づいて、前記通信部を省電力状態から前記ビーコンを受信可能な通信可能状態に周期的に遷移させる処理と、を前記無線ＬＡＮ端末に実行させる制御プログラム。
【請求項１６】
複数回前記ビーコンを受信し、前記ビーコンの受信を期待する時間から実際にビーコンを受信した時間の時間遅れの分布を求め、あらかじめ設定した確率で前記時間遅れを救済できるように前記通信可能状態に遷移してから前記省電力状態に戻るまでの時間である起動時間を設定する処理と、
前記起動時間中にビーコンを受信できなかった場合には、ビーコンの受信を待たずに前記通信可能状態から前記省電力状態に遷移させる処理と、
を前記無線ＬＡＮ端末に実行させる請求項１５記載の制御プログラム。
【発明の詳細な説明】
【技術分野】
【０００１】
本発明は、無線ＬＡＮ端末、無線ＬＡＮシステム、及び無線ＬＡＮ端末の状態遷移方法に関する。特に、無線ＬＡＮ基地局より周期的に送信されるビーコン(Beacon)を受信可能な通信可能状態と省電力状態とを間歇的に切り換えてビーコンを受信するパワーセーブモードを有する無線ＬＡＮ端末に関する。
【背景技術】
【０００２】
無線ＬＡＮ端末においては、送受信回路に常に電源が供給されるアクティブモードの他に、パワーセーブモードを有するものがある。このパワーセーブモードとは、無線ＬＡＮ基地局（アクセスポイント）から周期的に送られてくるビーコンの周期に合わせて、無線ＬＡＮ端末を省電力状態（スリープ状態ともいう）から通信可能状態（アウェイク状態ともいう）に遷移させ、ビーコン(Beacon)を受信し、通信が必要なときは、通信を行い、通信が必要ないときは、再び省電力状態に戻すことにより消費電力を削減するものである。
【０００３】
特許文献１には、パワーセーブモードにおいて、無線ＬＡＮ基地局（アクセスポイント）がビーコンを送信しようとする無線チャンネルを他の無線ＬＡＮ端末が通信に使用しているためにビーコン信号の送信が遅れ、送信するビーコンに含まれるビーコンインターバル（ＢＩ）の値と、無線ＬＡＮ端末が実際に受信するビーコンの周期が異なる場合にも、ビーコン信号を受信できるようにするため、ビーコン信号周期を複数回測定し、複数の測定データから代表値を決定し、ビーコン信号周期の設定値とすることが記載されている。
【０００４】
また、特許文献２には、ビーコンの通信が遅れた場合にも、ビーコンを受信し、かつ、低消費電力にするため、ビーコンの遅れ時間推定手段を設け、遅れ時間推定手段が推定した遅れ時間に応じて、アウェイク（通信可能）状態から省電力状態に遷移させる無線ＬＡＮ端末が記載されている。
【特許文献１】特開２００７−１０４０３３号公報
【特許文献２】特開２００６−３１０９０９号公報
【発明の開示】
【発明が解決しようとする課題】
【０００５】
以下の分析は本発明において与えられる。通信の錯綜によるビーコンの送信遅れに対しては、特許文献１や特許文献２に記載されているようにビーコンを複数回測定し、複数回の測定から、通信の錯綜によるビーコンの送信遅れによる誤差を修正することは、可能である。しかし、発明者の検討によれば、通信の錯綜がなくとも、無線ＬＡＮ基地局の時刻を計時するタイマと無線ＬＡＮ端末の時刻を計時するタイマの精度によって、両者の時間の進み方に差があると、ビーコンを適切に受信することはできない。
【０００６】
本発明の目的は、無線ＬＡＮ基地局が計時するビーコン送信周期と無線ＬＡＮ端末が計時するビーコン受信周期との間に誤差があってもビーコンを適切に受信することができ、かつ、無駄な消費電力を消費しない無線ＬＡＮ端末、無線ＬＡＮシステム、及び無線ＬＡＮ端末の状態遷移方法を提供することにある。
【課題を解決するための手段】
【０００７】
本発明の１つの側面による無線ＬＡＮ端末は、無線ＬＡＮ基地局との間でデータの送受信を行う通信部と、前記無線ＬＡＮ基地局より周期的に送信されるビーコンを受信すべきタイミングで前記通信部を省電力状態から通信可能状態に遷移させる制御部と、複数回前記ビーコンを受信し前記ビーコンに記録されている時刻の間隔とビーコンを受信した時刻の間隔とのずれを記憶するビーコン受信周期差分記憶部と、前記ビーコン受信周期差分記憶部に記憶された時刻の間隔のずれに基づいて前記省電力状態から前記通信可能状態に遷移する起動周期を設定する起動周期設定部と、を備える。
【０００８】
また、本発明の他の側面による無線ＬＡＮシステムは、時刻情報を含むビーコンを周期的に送信する無線ＬＡＮ基地局と、前記ビーコンを受信すべきタイミングで省電力状態から通信可能状態に遷移して前記ビーコンを受信する無線ＬＡＮ端末と、を含む無線ＬＡＮシステムにおいて、前記無線ＬＡＮ端末は、前記ビーコンに含まれる時刻情報とビーコンを受信した時刻とから前記無線ＬＡＮ基地局が計時したビーコン送信周期と前記無線ＬＡＮ端末が計時したビーコン受信周期との誤差を求め、前記誤差に基づいて、前記省電力状態から通信可能状態に遷移する周期を決定する。
【０００９】
本発明のさらに他の側面による無線ＬＡＮ端末の状態遷移方法は、無線ＬＡＮ基地局が周期的に送信するビーコンを受信すべきタイミングで省電力状態から通信可能状態に遷移して前記ビーコンを受信する無線ＬＡＮ端末の状態遷移方法であって、前記ビーコンに含まれる時刻情報とビーコンを受信した時刻とから前記無線ＬＡＮ基地局が計時したビーコン送信周期と前記無線ＬＡＮ端末が計時したビーコン受信周期との誤差を求め前記誤差に基づいて前記無線ＬＡＮ端末が前記省電力状態から通信可能状態に遷移する起動周期を決定して前記ビーコンを受信する。
【００１０】
本発明のさらに他の側面による無線ＬＡＮ端末の制御プログラムは、周期的に送信されるビーコンの受信を含む送受信処理を行う通信部を備えた無線ＬＡＮ端末の制御プログラムであって、第一のビーコンに記録された時刻データと、前記第一のビーコン受信時に計時した時刻データと、第二のビーコンに記録された時刻データと、前記第二のビーコン受信時に計時した時刻データと、前記第一のビーコンから第二のビーコンを受信するまでに受信したビーコンの数とから、前記ビーコンに記録された１周期当たりの時刻の進み方と、前記無線ＬＡＮ端末が計時した１周期当たりの時刻の進み方の周期差分を求める処理と、前記周期差分に基づいて、前記通信部を省電力状態から前記ビーコンを受信可能な通信可能状態に周期的に遷移させる処理と、を前記無線ＬＡＮ端末に実行させる。
【発明の効果】
【００１１】
本発明によれば、ビーコンを周期的に送信する無線ＬＡＮ基地局の計時する時刻とビーコン信号を受信する無線ＬＡＮ端末が計時する時刻との間に時間の進み方に誤差があっても、無線ＬＡＮ端末は、ビーコンに記録されている時刻の間隔とビーコンを受信した時刻の間隔に基づいてビーコンを受信するので、同期はずれの頻度を低減することができる。
【発明を実施するための最良の形態】
【００１２】
本発明の実施形態について、必要に応じて図面を参照して説明する。なお、実施形態の説明において引用する図面及び図面の符号は実施形態の一例として示すものであり、それにより本発明による実施形態のバリエーションを制限するものではない。
【００１３】
例えば図１に示すように、本発明の一実施形態の無線ＬＡＮ端末２は、無線ＬＡＮ基地局１との間でデータの送受信を行う通信部３と、無線ＬＡＮ基地局１より周期的に送信されるビーコンを受信すべきタイミングで通信部３を省電力状態から通信可能状態に遷移させる制御部４と、複数回ビーコンを受信しビーコンに記録されている時刻の間隔とビーコンを受信した時刻の間隔とのずれを記憶するビーコン受信周期差分記憶部８と、ビーコン受信周期差分記憶部８に記憶された時刻の間隔のずれに基づいて省電力状態から通信可能状態に遷移する起動周期を設定する起動周期設定部６と、を備える。
【００１４】
さらに、例えば図１に示すように、本発明の一実施形態の無線ＬＡＮ端末２は、ビーコンの受信を期待する時間と実際にビーコンを受信した時間のずれを複数回分記憶するビーコン受信時間差分記憶部７と、ビーコン受信時間差分記憶部７に記憶された受信時間のずれの分布に基づいて通信可能状態に遷移してから再び省電力状態に戻るまでの時間である起動時間を設定する起動時間設定部５と、を備えたものであってもよい。上記構成によれば、ビーコンの受信を期待する時間と実際にビーコンを受信した時間との受信時間のずれの分布に応じて、通信可能状態に遷移してから再び省電力状態に戻るまでの起動時間を決めることができるので、起動時間が長すぎて消費電力を無駄に消費したり、起動時間が短すぎて、受信すべきビーコンが受信できない不具合が生じることがない。通信の輻輳等によるビーコンの送信時間が遅れる場合であっても、遅れのばらつきにより適切な起動時間を設定することができる。
【００１５】
さらに、本発明の一実施形態の無線ＬＡＮ端末２（図１）は、起動時間設定部５には、ビーコンの送信時間のずれに対してビーコンの受信に成功する期待確率があらかじめ与えられており、起動時間設定部５は、受信時間のずれの分布（たとえば、図６参照）を参照して期待確率を満足するように起動時間を設定する。上記構成により、受信時間のずれの分布を参照して期待確率を満足するように起動時間を設定しているので、受信時間のずれの分布がどのような分布であってもあらかじめ設定した期待確率を満たすように起動時間が設定できる。従って、単純に受信時間ずれの平均値やずれの最大値を基準に起動時間を設定する場合に比べてより通信の輻輳状態等を考慮した適切な起動時間の設定ができる。
【００１６】
さらに、本発明の一実施形態の無線ＬＡＮ端末２（図１）は、図３、図５に示すように、ビーコン受信時間差分記憶部７に記憶された受信時間のずれデータから、閾値外のデータを除いた後の中央値に基づいて、省電力状態から通信可能状態に遷移するタイミングを決定する。通信の錯綜等の理由により、明らかに受信時間がずれているデータを除いた受信時間の中央値に基づいて、省電力状態から通信可能状態に遷移するタイミングを決定しているので、省電力状態から通信可能状態に遷移するタイミングをビーコンの受信タイミングに精度よく同期できる。
【００１７】
また、本発明の一実施形態の無線ＬＡＮ端末２（図１）は、図４に示すように、電源がオンしたとき（ステップＳ３０１でＹｅｓ）、圏外から基地局との通信が可能な圏内に移動したことを検知したとき（ステップＳ３０２でＹｅｓ）、又は、圏内において起動時間を設定してから一定時間が経過したとき（ステップＳ３０４でＹｅｓ）に、起動時間設定部５が、起動時間を再設定（ステップＳ３０９）する。上記構成によれば、圏外から圏内に移動したときに起動時間を再設定するので、企業向けの構内ＬＡＮなど、圏外から圏内への移動により通信環境が大きく変化する可能性がある場合に適切に起動時間を設定できる。
【００１８】
また、本発明の一実施形態の無線ＬＡＮ端末２（図１）は、電源がオンしたとき、又は、起動時間を設定してから一定時間が経過したときに、起動時間設定部５が、起動時間を再設定するものとしてもよい。すなわち、家庭内ＬＡＮなど、圏内や圏外への移動の頻度が低い場合は、圏外から圏内への移動の検知を省略することにより起動時間の設定処理を簡略化できる。
【００１９】
また、本発明の一実施形態の無線ＬＡＮ端末２（図１）は、図４に示すように、無線ＬＡＮ基地局固有の識別情報と共に起動周期設定部６が設定した起動周期を記録する基地局別起動周期記憶部９をさらに備え、無線ＬＡＮ基地局１との通信開始時に当該無線ＬＡＮ基地局が基地局別起動周期記憶部９に記録した基地局であった場合（ステップＳ３０５でＹｅｓ）には、基地局別起動周期記憶部９が記憶する当該基地局に対する起動周期を当該無線ＬＡＮ端末の起動周期として設定する。起動時間は、通信状態等により、随時見直す必要があったとしても、起動周期は、無線ＬＡＮ基地局毎に固定でよいと考えられるので、過去に起動周期を設定した無線ＬＡＮ基地局と同一の基地局であれば、基地局別起動周期記憶部９が記憶する過去に設定した起動周期を再び設定することにより、起動周期の再設定を簡略化できる。
【００２０】
さらに、本発明の一実施形態の無線ＬＡＮシステムは、例えば、図１に示すように、時刻情報を含むビーコンを周期的に送信する無線ＬＡＮ基地局１と、ビーコンを受信すべきタイミングで省電力状態から通信可能状態に遷移してビーコンを受信する無線ＬＡＮ端末２と、を含む無線ＬＡＮシステムにおいて、無線ＬＡＮ端末２は、ビーコンに含まれる時刻情報とビーコンを受信した時刻とから無線ＬＡＮ基地局１が計時したビーコン送信周期と無線ＬＡＮ端末が計時したビーコン受信周期との誤差を求め、誤差に基づいて、省電力状態から通信可能状態に遷移する周期を決定する（例えば、図３のステップＳ２０８、Ｓ２１０、Ｓ２１１）。上記構成によれば、無線ＬＡＮ端末は、ビーコンに含まれる時刻情報とビーコンを受信した時刻とから無線ＬＡＮ基地局１が計時したビーコン送信周期と無線ＬＡＮ端末が計時したビーコン受信周期との誤差を求め、誤差に基づいて、前記省電力状態から通信可能状態に遷移する周期を決定するので、精度よく同期させることができる。
【００２１】
また、本発明の一実施形態の無線ＬＡＮシステムは、例えば、図１、図３に示すように、無線ＬＡＮ端末２が、複数回ビーコンを受信し、ビーコンの受信を期待する時間から実際にビーコンを受信した時間の時間遅れの分布を求め、あらかじめ設定した確率で時間遅れを救済できるように通信可能状態に遷移してから省電力状態に戻るまでの時間である起動時間を設定し（ステップＳ２１４、Ｓ２１５）、起動時間中にビーコンを受信できなかった場合には、ビーコンの受信を待たずに、前記省電力状態に遷移する。上記構成によれば、図５に示すとおり、複数回ビーコンを受信し、ビーコンの受信を期待する時間から実際にビーコンを受信した時間の時間遅れの分布を求め、その分布に基づいて、あらかじめ設定した確率で上記時間遅れが救済できるように起動時間を設定するので、時間遅れの分布に合わせた起動時間を設定することができる。
【００２２】
また、本発明の一実施形態の無線ＬＡＮシステムは、例えば、図４に示すように、無線ＬＡＮ端末が、電源をオンしたとき（ステップＳ３０１でＹｅｓ）、無線ＬＡＮ基地局との通信不能な圏外から通信可能な圏内に移動したことを検知したとき（ステップＳ３０２でＹｅｓ）、又は、圏内において起動時間を設定してから一定時間が経過したとき（ステップＳ３０４でＹｅｓ）に、起動時間を再設定するものであってもよい。上記構成によれば、必要なときに起動時間を再設定するので、無線の混雑常態、通信の輻輳状態に合わせて起動時間を適切に更新することができる。
【００２３】
さらに、本発明の一実施形態の無線ＬＡＮ端末の状態遷移方法は、図３に示すように、無線ＬＡＮ基地局が周期的に送信するビーコンを受信すべきタイミングで省電力状態から通信可能状態に遷移してビーコンを受信する無線ＬＡＮ端末の状態遷移方法であって、ビーコンに含まれる時刻情報とビーコンを受信した時刻とから無線ＬＡＮ基地局が計時したビーコン送信周期と無線ＬＡＮ端末が計時したビーコン受信周期との誤差を求め（ステップＳ２１０）、前記誤差に基づいて、前記無線ＬＡＮ端末が前記省電力状態から通信可能状態に遷移する起動周期を決定して前記ビーコンを受信する（ステップＳ２１１）。上記構成により、無線ＬＡＮ基地局の計時と無線ＬＡＮ端末の計時との時間の進み方に誤差があったとしても誤差に基づいて起動周期を設定するので、図５に示すように、同期がずれる恐れがない。
【００２４】
本発明の一実施形態の無線ＬＡＮ端末の状態遷移方法は、図３に示すように、複数回ビーコンを受信しビーコンの受信を期待する時間から実際にビーコンを受信した時間の時間遅れの分布を求め、あらかじめ設定した確率で時間遅れを救済できるように通信可能状態に遷移してから省電力状態に戻るまでの時間である起動時間を設定し（ステップＳ２１４、Ｓ２１５）、起動時間中にビーコンを受信できなかった場合には、ビーコンの受信を待たずに通信可能状態から省電力状態に遷移する。上記構成により、ビーコンの受信遅れの状態に応じて適切な起動時間を設定することができる。
【００２５】
また、本発明の一実施形態の無線ＬＡＮ端末の制御プログラムは、図３に示すように、周期的に送信されるビーコンの受信を含む送受信処理を行う通信部３を備えた無線ＬＡＮ端末２の制御プログラムであって、第一のビーコンに記録された時刻データ（例えば式（１）のＴ０）と、第一のビーコン受信時に計時した時刻データ（ｔ０）と、第二のビーコンに記録された時刻データ（Ｔ１）と、前記第二のビーコン受信時に計時した時刻データ（ｔ１）と、第一のビーコンから第二のビーコンを受信するまでに受信したビーコンの数（ｎ１）とから、ビーコンに記録された１周期当たりの時刻の進み方と、無線ＬＡＮ端末２が計時した１周期当たりの時刻の進み方の周期差分を求める処理（図３のステップＳ２１０）と、周期差分に基づいて、通信部を省電力状態から前記ビーコンを受信可能な通信可能状態に周期的に遷移させる処理（図３のステップＳ２１１）と、を無線ＬＡＮ端末２に実行させる。すなわち、制御プログラムは、例えば図２のＦＬＡＳＨ  ＲＯＭ１０２に格納され、ＣＰＵ１０１によって実行される。ＣＰＵ１０１は、制御プログラムの実行により、通信部３を省電力状態から通信可能状態に遷移させる。
【００２６】
また、本発明の一実施形態の無線ＬＡＮ端末の制御プログラムは、複数回ビーコンを受信し、ビーコンの受信を期待する時間から実際にビーコンを受信した時間の時間遅れの分布を求め、あらかじめ設定した確率で時間遅れを救済できるように通信可能状態に遷移してから省電力状態に戻るまでの時間である起動時間を設定する処理（例えば、図３のステップＳ２１４）と、起動時間中にビーコンを受信できなかった場合には、ビーコンの受信を待たずに通信可能状態から省電力状態に遷移させる処理（例えば、図３のステップＳ２１５）と、を無線ＬＡＮ端末２に実行させる。すなわち、通信可能状態から省電力状態に遷移させる処理もＦＬＡＳＨ  ＲＯＭ１０２の制御プログラムに基づいてＣＰＵ１０１が行う。以下、本発明について実施例に即し、図面を参照してさらに詳しく説明する。
【実施例１】
【００２７】
図１は、実施例１の無線ＬＡＮシステムの構成を示すブロック図である。図１において、無線ＬＡＮ基地局１と無線ＬＡＮ端末２とは相互に無線により通信を行う。図１には、無線ＬＡＮ基地局１、無線ＬＡＮ端末２はそれぞれ１つずつしか記載されていないが、無線ＬＡＮ基地局１、無線ＬＡＮ端末２はどちらも複数あってもよい。なお、ここで、無線ＬＡＮ基地局１とは、ビーコンを出力するアクセスポイントであり、無線ＬＡＮ端末とは、そのビーコンを受信する端末である。無線ＬＡＮ端末２は、無線ＬＡＮ基地局１と通信を行う通信部３と、無線ＬＡＮ端末２全体の制御を行う制御部４と、起動時間設定部５と、起動周期設定部６と、ビーコン受信時間差分（Ｚ１）記憶部７と、ビーコン受信周期差分（Ｚ２）記憶部８と、基地局別起動周期記憶部９と、を備えている。
【００２８】
通信部３は、さらに、ＲＦ部３１とベースバンド部３２を備えており、無線ＬＡＮ基地局１との間で通信を行う。起動時間設定部５は、パワーセーブモードにおいて、省電力状態から通信可能状態に遷移して無線ＬＡＮ基地局から送信されるビーコンの受信可能状態になってからビーコンの受信が無い場合に再び省電力状態に戻るまでの時間である起動時間を設定する。また、起動周期設定部６は、パワーセーブモードにおいて、無線ＬＡＮ基地局１から送信されるビーコンを受信するために無線ＬＡＮ端末２を省電力状態から通信可能状態に遷移させる周期を設定する。
【００２９】
また、ビーコン受信時間差分（Ｚ１）記憶部７は、ビーコンの受信を期待する時間と実際にビーコンを受信した時間のずれを複数回分記憶する。ビーコン受信周期差分（Ｚ２）記憶部８は、受信したビーコンに含まれる無線ＬＡＮ基地局が計時したビーコンを送信する時刻の間隔と無線ＬＡＮ端末２がビーコンを受信した無線ＬＡＮ端末２側で計時した時刻の間隔との差分を記憶する。さらに、基地局別起動周期記憶部９は、無線ＬＡＮ基地局ごとに設定した起動周期を記憶する。この基地局別起動周期記憶部９はＭＡＣアドレスキャッシュに設け、基地局をＭＡＣアドレスにより識別し、ＭＡＣアドレスごとに起動周期を記憶するものであってもよい。
【００３０】
さらに、制御部４は、無線ＬＡＮ端末全体の制御を行う。特に、起動周期設定部６が設定した起動周期毎に通信部３を省電力状態から通信可能状態に設定し、起動時間設定部５が設定した起動時間が経過しても、通信部３がビーコンを受信しなかった場合は、通信部３を通信可能状態から省電力状態に設定する。なお、通信可能状態とは、通信部による無線ＬＡＮ基地局１との送受信が可能な状態であり、省電力状態とは、通信部３の動作を停止させ、電力の消費を低減させた状態である。なお、省電力状態では、通信部３の電源をオフさせてもよい。
【００３１】
次に、図２は、上記実施例１の無線ＬＡＮ端末のハードウェア構成の一例を示すものである。無線ＬＡＮ端末２は、装置を制御するＣＰＵ１０１、ワークエリアとなるＲＡＭ１０５、制御プログラムを格納するＦＬＡＳＨ  ＲＯＭ１０２、無線ＬＡＮ通信を行う通信部３、各種情報を表示する表示部１０６、データを入力するためのキー入力部１０７とを含んでおり、外部アクセスポイント（無線ＬＡＮ基地局１）との通信を行うものとする。ＦＬＡＳＨ  ＲＯＭ１０２に格納させた制御プログラムにより、無線ＬＡＮ端末２は、図１に示すブロック図のような機能を実現する無線ＬＡＮ端末２として機能する。すなわち、制御プログラムにより、ＣＰＵ１０１は、図１の制御部４、起動時間設定部５、起動周期設定部６として機能し、ＦＬＡＳＨ  ＲＯＭ１０２やＲＡＭ１０５は、ビーコン受信時間差分（Ｚ１）記憶部７、ビーコン受信周期差分（Ｚ２）記憶部８、基地局別起動周期記憶部９として機能する。なお、図２において、表示部、キー入力部は必須ではないが、より良好なユーザーインタフェース（ＵＩ）を提供する上で搭載されている方が望ましい。
【００３２】
次に、図１のビーコン受信時間差分（Ｚ１）記憶部７が記憶するビーコン受信時間差分Ｚ１とビーコン受信周期差分（Ｚ２）記憶部８が記憶するビーコン受信周期差分Ｚ２についてここで説明しておく。ビーコン受信時間差分Ｚ１は、ビーコンを受信する時間の期待値と実際にビーコンを受信した時間との差分である。理想的には、ビーコンはあらかじめ決められた周期で受信することを期待しているが、無線ＬＡＮ基地局が使用しようとする周波数帯を他の無線ＬＡＮ端末等が使用している場合には、その周波数帯が空くまで、ビーコンの送信は遅れる。従って、ビーコンを受信する時間の期待値と実際にビーコンを受信した時間との差分が生じる。これをＺ１としてビーコン受信時間差分（Ｚ１）記憶部７に記憶する。
【００３３】
次に、ビーコン受信周期差分Ｚ２について説明する。無線ＬＡＮ基地局（アクセスポイント）が送信するビーコンには、無線ＬＡＮ基地局が計時した時刻情報が含まれる。従って、ビーコンの受信周期毎に、ビーコンに含まれる時刻情報と、無線ＬＡＮ端末が計時する時刻との進み具合を比較することにより、無線ＬＡＮ基地局が計時するビーコン送信周期と、無線ＬＡＮ端末が計時するビーコンの受信を期待する周期との誤差を認識することができる。基準となるビーコンに記録されている時刻をＴ０、そのビーコンを受信したときの無線ＬＡＮ端末で計時した時刻をｔ０、その後に受信したビーコンに記録されている時刻をＴ１、そのビーコンを受信したときの無線ＬＡＮ端末で計時した時刻をｔ１、基準となるビーコンから受信したビーコンの総数をｎ１とすると、ビーコン受信周期差分Ｚ２は、
Ｚ２（ｎ１）＝｛（Ｔ１−Ｔ０）−（ｔ１−ｔ０）}／ｎ１    （式１）
で求めることができる。
【００３４】
図３は実施例１において、無線ＬＡＮ端末２がビーコン受信のための起動周期及び起動時間を設定する処理フローチャートである。初期状態としては、起動周期も起動時間も定まっていないので、「精度フラグ」、「時間フラグ」共に「０」であるとする。なお、「精度フラグ」は、起動周期の設定を行う必要があるか否かを示すフラグであり、「０」であれば、起動周期の設定を行う必要があり、「１」であれば、起動周期については設定済みであり、起動周期の設定の必要がないことを示す。また、「時間フラグ」は、起動時間の設定を行う必要があるか無いかを示すフラグであり、「０」であれば、起動時間の設定を行う必要があることを示し、「１」であれば、起動時間はすでに設定ずみであり、再設定が必要ないことを示す。また、ビーコンの送信周期については、時間の誤差を除いてあらかじめ決まっているとする。例えば、１秒毎にビーコンが送信されるものとする。また、Ｚ１のカウンタであるｎ１、Ｚ２のカウンタであるｎ２の初期値はいずれもゼロであるとする。
【００３５】
まず、受信タイミングの初期設定を行うため、サンプル数がＹ以上になるまで、ビーコンを連続して受信する（ステップＳ２０２）。ビーコンを受信するごとに仮に決めたビーコンの受信を期待する時間との時間差分Ｚ１を求めて、サンプル数がＹになるまで、一時保存しておく（ステップＳ２０１）。サンプル数がＹ以上になった場合は、ビーコンの受信タイミングを初期設定する（ステップＳ２０３）。具体的には、サンプル数Ｙのビーコンを受信後、Ｚ１の分布のうち、最も小さい値を基準としてビーコンの受信期待時刻が０となるようにビーコン受信期待時刻を設定する。
【００３６】
上記初期設定が終わると、以降、無線ＬＡＮ端末は無線ＬＡＮ基地局（アクセスポイント）からビーコンを受けるとその時刻を記録し、（ステップＳ２０３で決定した）期待するビーコン受信時刻との差分Ｚ１を演算し、ビーコン受信時間差分（Ｚ１）記憶部７に記憶する（ステップＳ２０４）。また、Ｚ１のカウンタであるｎ１に１を加算する。次に、ステップＳ２０５では、「精度フラグ」と、「時間フラグ」をチェックし、その状態により、分岐する。起動周期の設定が終了していない場合は、「精度フラグ」が「０」であるので、ステップＳ２０６へ進む。また、起動周期の設定は完了しているが、起動時間の設定が必要な場合は、「精度フラグ」が「１」、かつ、「時間フラグ」が「０」であるので、ステップＳ２１３へ分岐する。起動周期、起動時間はいずれも設定済みであり、見直す必要が無い場合は、「精度フラグ」、「時間フラグ」がいずれも「０」であるので「ＥＮＤ」へ進み、起動周期及び起動時間の設定処理を終了する。
【００３７】
ステップＳ２０６では、時間差分Ｚ１が閾値Ａ以下であるか否かをチェックする。時間差分Ｚ１が閾値Ａを超えている場合は、すでに述べた無線の混雑、通信の輻輳等の理由により、ビーコンの受信タイミングがずれているものとして、起動周期の設定には使用しない。この場合、「時間フラグ」が「０」であれば、起動時間の設定処理へ移る（ステップＳ２１３）が、「時間フラグ」が「１」であり、すでに、起動時間の設定が完了している場合は、ステップＳ２０４へ移り、次のビーコンの受信を待つ。閾値Ａ以下である場合は、正規のタイミングでビーコンを受信したものとして、ステップＳ２０８へ進む。
【００３８】
ステップＳ２０８では、上述した式（１）により、周期差分Ｚ２を求めておく、求めた周期差分Ｚ２は、ビーコン周期差分（Ｚ２）記憶部８へ記録する。また、Ｚ２のカウンタであるｎ２に１を加算する。
【００３９】
ステップＳ２０９では、Ｚ２のカウンタであるｎ２が規定値Ｂ以上になったか否かをチェックする。ｎ２がＢ未満であれば、ステップＳ２０４へ戻り、次のビーコンの受信を待つ。ｎ２がＢ以上であれば、ステップＳ２１０に進み、起動周期の設定に移る。
【００４０】
ステップＳ２１０では、サンプリングしたＺ１の中央値、及び、Ｚ２の平均値を計算する。ステップＳ２１１では、ステップＳ２１０で求めたＺ２の平均値によりあらかじめ決められた起動周期を補正する。すなわち、ビーコンの送信周期そのものはあらかじめ決まっているが、無線ＬＡＮ基地局（アクセスポイント）が計時するビーコンの送信周期と、無線ＬＡＮ端末側がビーコンの送信を期待する周期では、無線ＬＡＮ基地局の計時の進み具合と、無線ＬＡＮ端末側の計時の進み具合で、タイマ精度の誤差により、同期にずれが生じる場合があるが、この実施例では、ステップＳ２１１で起動周期を補正しているので、無線ＬＡＮ基地局と無線ＬＡＮ端末との間で、同期ずれが発生する可能性は低い。また、ステップＳ２１１では、Ｚ１の中央値の値により、無線ＬＡＮ端末が省電力状態から通信可能状態に遷移するタイミングを決めている。従って、ビーコン受信タイミングと十分に同期を取って、省電力状態から通信可能状態へ遷移するタイミングを決定することができる。例えば、ビーコン間隔が１秒に対して、Ｚ１の中央値が＋０．１秒、Ｚ２の平均値が−０．０２秒だった場合、起動時間を基準値に対して０．１秒、以降の起動周期を０．９８秒に再設定する。こうすることで、無線ＬＡＮ基地局と無線ＬＡＮ端末の持つ内部時計の相関時間差に関わらず、理想環境において無線ＬＡＮ基地局からのビーコン送信と無線ＬＡＮ端末の起動時間を同期させることができる。
【００４１】
ステップＳ２１２では、起動周期の設定が完了したので、精度フラグを１に設定すると共に無線ＬＡＮ基地局のＭＡＣアドレスと設定した起動周期の値を基地局別起動周期記憶部９に記憶する。
【００４２】
ここで、図５を参照して、起動時間を同期させ、無線ＬＡＮ基地局の計時と無線ＬＡＮ端末の計時との誤差に基づいて精度よく起動周期を設定することによる本発明の効果を従来例と対比して説明する。図５（ａ）はビーコン間隔が期待値より長い場合である。図５（ａ１）の状来技術では、最初は同期が取れているが、ビーコンの周期が期待値より長いので、ビーコンの受信タイミングが徐々に遅れ、Ｂ１４では、同期がされなくなっている。これに対して、起動時間を長く取ればＢ１５、Ｂ１６のようにビーコンを受信することが可能ではあるが、同期がずれている限り、いずれは、受信できなくなる。また、起動時間を長く取れば、消費電力が大きくなる。
【００４３】
一方、本発明に基づいて、図５（ａ２）のように、無線ＬＡＮ基地局の計時と無線ＬＡＮ端末の計時との誤差に基づいて精度よく起動周期を設定すれば、同期がはずれる確率は著しく減少する。
【００４４】
同様に、図５（ｂ１）に示すように、ビーコン間隔が期待値より短い場合は、従来の技術では、一度同期がはずれると起動時間を長くしても同期を取ることは不可能であった。一方、図５（ｂ２）に示すように無線ＬＡＮ基地局の計時と無線ＬＡＮ端末の計時との誤差に基づいて精度よく起動周期を設定すれば、同期がはずれる確率は著しく減少する。
【００４５】
図３に戻って、ステップＳ２１３からの起動時間を設定するステップについて説明する。ステップＳ２１３では、サンプル数ｎ１の値がＣ以上であるか否か判定を行う。サンプル数ｎ１がＣ未満である場合は、ステップＳ２０４に戻り、次のビーコンの受信を待つ。サンプル数ｎ１がＣ以上であれば、ステップＳ２１４へ移る。
【００４６】
ステップＳ２１４では、起動時間の設定を行う。ビーコンの受信を期待する時間と実際にビーコンを受信した時間とのずれを示すＺ１のばらつきを考慮し、あらかじめ決められた期待確率Ｄ％を満足するように起動時間の長さを決定する。この期待確率Ｄ％と起動時間の設定について、図６を参照して説明する。図６（ａ）に従来の起動時間の決定方法を示し、図６（ｂ）に本発明による起動時間の決定方法を示す。ビーコンの受信時間に遅れがなければ、起動時間０に頻度は集中するはずである。しかし、すでに述べたように、無線ＬＡＮ基地局がビーコンを送信しようとする周波数帯域を別の無線ＬＡＮ端末等が使用している場合は、チャンネルが空くまでビーコンの送信は遅れる。したがって、通信が輻輳したり、無線環境が悪くなるほどビーコン受信時間のばらつきは大きくなり、受信時間のばらつきがあっても、一定の確率でビーコンを受信できるようにするためには、無線ＬＡＮ端末が通信可能状態になってから省電力状態に戻るまでの時間である起動時間を長くせざるを得ない。図６（ａ）の状来技術では、ビーコン受信時間のずれの大きさ、すなわち、無線環境の良悪を考慮していなかったので、無線環境が悪い場合に合わせて起動時間を設定すると無線環境が良い場合は、起動時間が長すぎ、余計な消費電力を消費してしまう。
【００４７】
一方、図６（ｂ）のように、ビーコンの受信を期待する時間と実際にビーコンを受信した時間とのずれを示すＺ１のばらつきに応じて、あらかじめ決められた期待確率Ｄ％を満足する確率でビーコンを受信できるように起動時間を設定しているので、最適な起動時間の設定ができる。すなわち、無線環境が悪い場合も良い場合も、共に、期待確率Ｄ％を満足するように起動時間を設定しているので、無線環境が良い場合は、起動時間を短くすることができるので、消費電力を下げることができる。一方、無線環境が悪い場合は、無線環境が悪くても期待確率Ｄ％を満足するように起動時間を設定するので、無線環境が悪い場合であっても、一定の確率でビーコンを受信できることが期待できる。
【００４８】
図３へ戻って説明を続ける。ステップＳ２１４において、具体的な起動時間を決定する方法は、Ｚ１のばらつきから期待確率Ｄ％を満足する起動時間を直接求めてもよいし、Ｚ１のばらつきからＺ１の分布関数を求め、Ｚ１の分布関数と期待確率Ｄ％から起動時間を求めてもよい。ステップＳ２１４で起動時間が求まったならば、ステップＳ２１５で、起動時間設定部５は起動時間の設定を変更し、それ以降、制御部４は、起動時間設定部５が設定した起動時間に従って、起動時間内にビーコンを受信できなかった場合は、通信可能状態から省電力状態に遷移させる制御を行う。最後にステップＳ２１６で、「時間フラグ」を「０」から「１」に変更し、起動時間の変更処理を終了させる。
【００４９】
なお、上記起動周期、起動時間、及び省電力状態から通信可能状態に遷移させるタイミングは、起動周期を最初に設定し、次に、通信可能状態に遷移させるタイミングを決定し、最後に起動時間を設定することが本来は望ましい。しかし、起動周期を決定するＺ２と、通信可能状態に遷移させるタイミングを決定するＺ１中央値と、起動時間設定値の大きさは、Ｚ２＜＜Ｚ１＜「起動時間設定値」であるので、図３のフローチャートに示すように、「起動周期」と、「起動時間」、「通信状態に遷移するタイミング」と、を同時に並行して設定するようにしても大きな問題になることはない。
【００５０】
また、起動周期の誤差についてはハードウェアの個体差として考えられること、時間による変化は発生しにくいことから、ステップＳ２１２で、無線ＬＡＮ基地局（アクセスポイント）のＭＡＣアドレスとくくりつけて起動周期の設定値を基地局別起動周期記憶部９に記憶させておくことで次回以降の演算を減らすことができる。
【００５１】
以上、図３を用いて説明したような手順で、起動周期及び起動時間を設定することができる。しかし、異なる無線ＬＡＮ基地局のエリアに移動した場合や、起動時間を設定したときから、無線環境が変化した等の場合は、一度、設定した起動周期、起動時間の設定を見直す必要がある。図４はそのような場合に起動周期及び起動時間の設定見直しを行うフローチャートである。
【００５２】
図４では、まず、ステップＳ３０１で、電源が新たにオンしたのかどうかをチェックする。電源が新たにオンした場合には、起動周期、起動時間の設定又は再設定を行うので、ステップＳ３０５へ進む。電源が新たにオンしたのでなければ、ステップＳ３０２へ進み、無線ＬＡＮ基地局との通信が不可能な圏外から基地局との通信が可能な圏内に移動したか否かを調べる。圏内に移動した場合は、起動周期、起動時間の設定又は再設定を行うので、ステップＳ３０５へ進む。圏内に移動したのでなければ、ステップＳ３０３へ進み、無線ＬＡＮ基地局との通信が不可能な圏外であるか否かを調べる。圏外であれぱ、ステップＳ３０２へ戻り、圏内に移動するまで、ステップＳ３０２とステップＳ３０３のループを繰り返す。圏内であれば、ステップＳ３０４へ進む。
【００５３】
ステップＳ３０４では、前回起動時間の見直しを行ってから一定時間経過したか否かを調べる。常に圏内ではあっても、無線状況が常に一定とは限らないため、一定時間毎に評価することが望ましい。ステップＳ３０５では、起動周期設定時に基地局別起動周期記憶部９へ無線ＬＡＮ基地局のＭＡＣアドレスに関連づけて記憶したその無線ＬＡＮ基地局のキャッシュデータがあるか否かを確認する。ＭＡＣアドレスキャッシュにその無線ＬＡＮ基地局の起動周期のデータが存在する場合には、「精度フラグ」を「１」に、「時間フラグ」を「０」に、ｎ１を０に設定し、ステップＳ３０７で起動周期の設定を行った後、ステップＳ３０９へ進み、図３のタイマ精度、起動時間設定シーケンス（ステップＳ２１３〜ステップＳ２１６）を行う。一方、基地局別起動周期記憶部９（ＭＡＣアドレスキャッシュ）にその無線ＬＡＮ基地局のデータが格納されていない場合には、ステップＳ３０８に進み、精度フラグ、時間フラグを０に設定し、ｎ１＝ｎ２＝０として、ステップＳ３０９へ進み、図３の起動周期設定、起動時間設定をやり直す。
【００５４】
以上の処理を行うことにより、起動周期、起動時間を常に最適な値にしておくことができる。なお、図４に示すように、無線ＬＡＮが企業内ＬＡＮのような場合には、企業内の同一フロアにおいては圏外となるようなエリアがないように無線ＬＡＮ基地局（アクセスポイント）が配置されており、圏外→圏内の状況が発生するのは出社時、及びフロア移動をしたときに限定されることが多い。つまり、圏外→圏内で無線環境が大きく変化する可能性があることから、圏外→圏内時においても無線区間の品質評価を行うようなフローとなっている。しかし、無線ＬＡＮ端末の用途が一般家庭向け等圏外に出ることが考え難ければ、ステップＳ３０２の判定を減らすことで、さらに簡易なシステムにすることもできる。
【００５５】
なお、上記実施例では、無線ＬＡＮ基地局の識別にＭＡＣアドレスを用い、無線ＬＡＮ基地局毎の起動周期の値をＭＡＣアドレスと関連づけて基地局別起動周期記憶部９に記載していた。しかし、無線ＬＡＮ基地局が識別できれば、ＭＡＣアドレス以外の情報を使用して、無線ＬＡＮ基地局を識別してもよいことは言うまでもない。
【００５６】
以上、本発明を実施例に即して説明したが、本発明は上記実施例の構成にのみ制限されるものでなく、本発明の範囲内で当業者であればなし得るであろう各種変形、修正を含むことは勿論である。
【図面の簡単な説明】
【００５７】
【図１】本発明の一実施例による無線ＬＡＮシステムの構成を示すブロック図である。
【図２】本発明の一実施例による無線ＬＡＮ端末のハードウェア構成を示すブロック図である。
【図３】本発明の一実施例による無線ＬＡＮ端末の起動周期及び起動時間設定のフローチャートである。
【図４】本発明の一実施例による無線ＬＡＮ端末の起動周期及び起動時間に関する見直しのフローチャートである。
【図５】起動周期がずれている場合における、従来技術による無線ＬＡＮ端末と本発明の一実施例による無線ＬＡＮ端末による動作の違いを説明するタイミングチャートである。
【図６】異なる通信環境における、従来技術による無線ＬＡＮ端末と本発明の一実施例による無線ＬＡＮ端末による起動時間の設定の違いを説明する図面である。
【符号の説明】
【００５８】
１：無線ＬＡＮ基地局
２：無線ＬＡＮ端末
３：通信部
４：制御部
５：起動時間設定部
６：起動周期設定部
７：ビーコン受信時間差分（Ｚ１）記憶部
８：ビーコン受信周期差分（Ｚ２）記憶部
９：基地局別起動周期記憶部
３１：ＲＦ部
３２：ベースバンド部
１０１：ＣＰＵ
１０２：ＦＬＡＳＨ  ＲＯＭ
１０５：ＲＡＭ
１０６：表示部
１０７：キー入力部
【図１】
2010114671.tif 000003
【図２】
2010114671.tif 000004
【図３】
2010114671.tif 000005
【図４】
2010114671.tif 000006
【図５】
2010114671.tif 000007
【図６】
2010114671.tif 000008